(57)【特許請求の範囲】
【請求項１】
ハウジング（10）と、回転モータ（11）と、上記回転モータ（11）に連結されかつ研磨工具を支持するようにされた出力スピンドル（12）とを有した、ホイール型研磨工具の作動用携帯型動力研磨装置において、
上記出力スピンドル（12）が、研磨工具緊締ねじ（24）を受ける同軸のねじ付き孔（23）と、研磨工具を上記出力スピンドル（12）に装着する際に研磨工具を支持する半径方向にのびる支持フランジ（25）を備え、
上記出力スピンドル（12）が更に、上記支持フランジ（25）に装着された交換可能な研磨工具支持要素（28）を備え、この研磨工具支持要素（28）が、研磨工具と上記支持フランジ（25）との間に挟持されるように配列した径方向フランジ（36）とを備え、上記研磨工具支持要素（28）が研磨工具緊締ねじ（24）を通す同軸貫通開口（30）と、研磨工具における相応した開口と係合するように前方に向いた同軸の管状首部（27）とを備えていることを特徴とするホイール型研磨工具の作動用携帯型動力研磨装置。
【請求項２】
出力スピンドル（12）が、ねじ付き孔（23）とねじ付きソケット部分（26）によって形成され、研磨工具支持要素（28）が、ほぼ円盤型であり、上記ソケット部分（26）内に受けられるように、同軸で後方向きのねじ付き管状首部（29）を備えていることを特徴とする請求項１に記載の携帯型動力研磨装置。
【請求項３】
ねじ付きソケット部分（26）のねじのピッチが、ねじ付き孔（23）のねじのピッチよりも大きいことを特徴とする請求項２に記載の携帯型動力研磨装置。
【発明の詳細な説明】
【０００１】
【発明の属する技術分野】
本発明は、携帯型動力研磨装置、特にハウジングと、回転モータと、上記回転モータに駆動的に連結された出力スピンドルとを有し、出力スピンドルが研磨工具を支持するようにされた出力スピンドルとを有し、上記出力スピンドルが、研磨工具緊締ねじを受けるねじ付き同軸孔及び研磨工具を緊締ねじにより上記出力スピンドルに装着する際に研磨工具を支持する半径方向支持フランジを備えているホイール型研磨工具の作動用携帯型動力研磨装置に関するものである。
【０００２】
【従来の技術】
この形式の動力研磨装置に関する一つの問題点は、出力軸における支持フランジの避けられない機械的磨耗のために順次損傷して行く研磨工具をどの様に案内していくかにある。これにより研磨工具は正確に回転できなくなり、研磨工具の正確な動作が損なわれることになる。
上記形式の動力研磨装置に関する別の問題点は、種々の形式の研磨工具に対して取り付け手段をどのように適合させていくかにある。
【０００３】
【発明が解決しようとする課題】
本発明の目的は、上記の問題点を解決した上記型の動力研磨装置を提供することにある。
【０００４】
【課題を解決するための手段】
上記の目的を達成するために、本発明によれば、ハウジングと、回転モータと、上記回転モータに連結されかつ研磨工具を支持するようにされた出力スピンドルとを有し、上記出力スピンドルが、研磨工具緊締ねじを受けるねじ付き同軸孔と、研磨工具を上記出力スピンドルに装着する際に研磨工具を支持する半径方向にのびる支持フランジを備えているホイール型研磨工具の作動用携帯型動力研磨装置において、上記出力スピンドルが、上記支持フランジに装着された交換可能な研磨工具支持要素を備え、この研磨工具支持要素が、研磨工具と上記支持フランジとの間に挟持されるように配列した半径方向フランジと、上記緊締ねじを通す同軸貫通開口と、研磨工具における相応した開口と係合を中心決めする同軸の前方に向いた管状首部とを備えていることを特徴としている。
【０００５】
【発明の実施の形態】
上記研磨工具支持要素は、ほぼ円盤型であり、そして上記出力スピンドルにおける相応したソケット部分内に受けられる同軸の後方に向いた管状首部を備えている。
上記緊締ねじと研磨工具との間には緊締要素が配置され、上記緊締要素は、外部の軸方向に向いたスプラインをもつ管状伸長部を備え、また上記研磨工具支持要素の上記同軸貫通開口は、上記管状伸長部における上記スプラインと係合する軸方向に向いたスプラインを備え、上記研磨工具支持要素の上記同軸の後方に向いた管状首部は、上記ソケット部分における相応したねじと相互係合する外ねじを備え、上記外ねじのピッチは、上記ねじ付き同軸孔及び上記緊締ねじのピッチと異なり、それにより研磨工具の偶発的な緩みに対するロック手段を形成する。
上記ソケット部分のねじのピッチは上記緊締ねじのねじピッチより大きい。
【０００６】
【実施例】
以下、添付図面を参照して本発明の好ましい実施の形態について説明する。
図１は、本発明による角度付グラインダ（angle grinder）の出力端の長手方向断面図を示している。
図２は、緊締要素及び作業装置緊締ねじの一部断面側面図を示している。
図３は、釣り合い装置の断片的な断面図を示している。
図４は、図１におけるIII-III線に沿った断面図を示している。
図５は、後部ベアリングと出力スピンドルの保持手段の断面を断片的に示す拡大図である。
図６は、結合要素の拡大側面図である。
図面に示した動力工具は角度付グラインダ（angle grinder）であり、この角度付グラインダ（angle grinder）はハウジング１０、回転モータ１１、及び出力スピンドル１２を備えている。出力スピンドル１２は角度付駆動手段（angle drive）１３によってモータ１１に動力伝達的に連結されている。角度付駆動手段（angle drive）１３は、モータ１１に連結されたピニオン１４と出力スピンドル１２に連結されたベベルギヤ１５とから成る。出力スピンドル１２は前部ボールベアリング１７及び後部ボールベアリング１８によってハウジング１０に対してジャーナル軸受けされている。前部ベアリング１７のアウターレースはハウジング１０の分離可能な壁部分１９に支持されている。
出力スピンドル１２はその前端に、ボール式自動釣り合い装置２１及びホイール型研磨工具（図示せず）用の装着手段２２が設けられている。
研磨工具装着手段２２は、緊締ねじ２４を支持するために出力スピンドル１２内に形成されたネジ付き同軸孔２３、径方向支持フランジ２５、孔２３と同軸のネジ付きソケット部分２６、及びディスク型研磨工具支持要素２８から成る。ディスク型研磨工具支持要素２８には、ソケット部分２６に噛合する後部ネジ付き首部２９が形成されている。しかし、このネジのピッチは、緊締ねじ２４のネジのピッチより大きくされ、これにより、緊締ねじ２４と支持要素２８とを一緒に緩めることができないようにしている。
また、支持要素２８は、研磨工具における対応する中央開口と協働して中心決めを行う前向き管状首部２７を備えている。
さらに、支持要素２８は、軸線方向にスプライン３１が形成された同軸開口３０を有する。緊締要素３２は、緊締ねじ２４と協働するように配置され、支持要素２８に対して研磨工具を締め付ける。緊締要素３２は管状伸長部３３を有し、この管状首部３３には支持要素２８の開口３０内に形成されたスプライン３１と協働するためのスプライン３５が設けられている。図４参照。
一方で、支持要素２８と緊締要素３２との間のスプライン連結から成る組み付け動作のために、また、他方で、緊締ねじ２４上のネジと支持要素２８との間のピッチを異ならせているために、研磨工具は研磨工具と出力スピンドル１２との間に如何なる予期しない相対回転が生じても緩みが生じることは防止される。
支持要素２８には平坦な径方向フランジ３６が形成されている。このフランジ３６は、出力スピンドル１２上の支持フランジ２５と研磨工具との間に挟まれる。支持フランジ２５は、支持要素２８と共に、緊締ねじ２４の締付によって研磨工具を締め付ける時の研磨工具用の軸線方向支持手段を形成している。ある作業時間が経過し支持要素２８が一定の長さまですり減ってきた時、それは簡単に新しいものと交換される。分離支持要素２８を使用しなければ、出力スピンドル１２のフランジ２５は、それ自身が研磨工具による避けることのできない機械的摩擦にさらされる。出力スピンドル１２全体の交換は、非常に高価な作業である。また、分離要素２８は、異なる形状の研磨工具に対する装着手段２２の改造を簡単にすることを可能にする。
研磨工具の使用寿命中に研磨工具に生じる力学的な不平衡力を補うことを目的とした釣り合い装置２１は、円形周囲壁３８、横断端壁３９、環状閉鎖部材４０、及び複数の鋼製ボール４１から成り、前記鋼製ボール４１は周囲壁３８に沿って自由に移動できるように設けられている。ボール４１を正確に案内するために、周囲壁３８には、出力スピンドル１２の回転軸線に対する中心決めと平滑さとに関して非常に高い品質を持つ部分的に球状な内側接触面４３が設けられている。この種の釣り合い装置は既に公知であり、例えば、英国特許第８３２０４８号(GB 832048)に記載されている。
しかし、本発明による動力工具では、出力スピンドル１２に加えて横断端壁３９と周囲壁３８とが相互に一体的に形成されており、横断端壁３９が研磨工具装着手段２２の径方向支持フランジ２５を形成している。
また、出力スピンドル１２には、ボール４１の径方向内方に位置し、周囲壁３８より軸線方向の長さが短い同軸円筒形表面４２が一体に形成されている。
環状閉鎖部材４０は、実質的にＬ字状の輪郭の断面を有し、周囲壁３８と円筒状表面４２との間に弾性膨脹力によって止められている。この位置に閉鎖部材４０を固定するために、周囲壁３８の後部には、閉鎖部材４０の外側リム部分と協働する内側フランジ４４が形成されており、これにより、閉鎖部材４０は後方への軸線方向の動きに対してロックされる。図３を参照すると、閉鎖部材４０と協働してシールするためのＯリング４５及び４６が周囲壁３８及び内側円筒状表面４２の各々に形成された溝４７及び４８にはめ込まれている。
出力スピンドル１２の端壁３９の近くには、前部ボールベアリング１７の内側ボールレースを配置するための径方向フランジ４９及び円筒状表面５０が形成されている。円筒状表面４２の直径がベアリング１７の外径より大きいので、閉鎖部材４０を部分的にベアリング１７の外側に配置することが可能になる。これは、釣り合い装置２１に含まれた出力スピンドル１２の前端部分が軸線方向に非常にコンパクトになることを意味する。
出力スピンドル１２は、そのさらに後方に、別の径方向フランジ５２、ベベルギヤ１５を案内的に支持するための円筒状表面５３、スプライン部分５４、別の円筒状表面５５、及びネジ部分５６を有する。最後部の円筒状表面５５は、後部ベアリング１８の内側レースを案内的に支持し、ネジ部分５６には締付ナット５８が噛合する。
スプライン部分５４上には環状結合要素５９が支持されている。この結合要素５９にはスプライン部分５４と駆動連結するための内側スプラインと、前方に伸びる結合歯６０とが形成されている。図６参照。結合歯６０はベベルギヤ１５のドック手段６１と係合し、ベベルギヤ１５と結合要素５９との間の駆動トルクを伝達する。
後部ベアリング１８の内側ボールレース、結合要素５９、及びベベルギヤ１５は、締付ナット５８とフランジ５２との間で堅固ユニットとして軸線方向に締め付けられる。この構成によって、ベベルギヤ１５と出力スピンドル１２の間を軽い締付で使用することが可能になり、出力スピンドル組立体の分解が容易になる。
ベベルギヤ１５には前方に伸びる首部６２が形成されており、この首部６２上には、ハウジング１０に設けられたシールリング６４と協働するスリーブ要素６３が設けられている。シールリング６４の目的は、角度付駆動手段（angle drive）１３に初めに塗布された潤滑グリスが漏れ出るのを防止することである。
出力スピンドル１２は、後部ベアリング１８、結合要素５９、ベベルギヤ１５、及び前部ベアリング１７と共に、後部ベアリング１８の下方に配置され、二つのネジ６６によってハウジング１０に固定された保持要素６５によってハウジング１０に軸線方向に締め付けられている。図４参照。締付力は、ベアリング１８と保持要素６５との間に挿入されたワッシャ型スプリング６７によって後部ベアリング１８の外側レースに加えられる。図５参照。
スプリング６７によって加えられる軸線方向の締付力は、後部ベアリング１８を介して出力スピンドル１２に伝達され、さらに、出力スピンドル１２、前部ベアリング１７、及び壁部分１９を介してハウジング１０に伝達される。
【０００７】
【発明の効果】
この構成によって、軸線方向に予め応力がかけられたボールベアリング１７及び１８が得られ、それによってベアリングの遊びが無くなり、回転精度が非常に上がる。
【図面の簡単な説明】
【図１】本発明による角度付グラインダ（angle grinder）の出力端の長手方向断面図。
【図２】緊締要素及び作業装置緊締ねじの一部断面側面図。
【図３】釣り合い装置の断片的な断面図。
【図４】図１におけるIII-III線に沿った断面図。
【図５】後部ベアリングと出力スピンドルの保持手段の断面を断片的に示す拡大図。
【図６】結合要素の拡大側面図。
【符号の説明】
１０  ハウジング
１１  回転モータ
１２  出力スピンドル
１３  角度付駆動手段（angle drive）
１４  ピニオン
１５  ベベルギヤ
１７  前部ボールベアリング
１８  後部ボールベアリング
１９  壁部分
２１  ボール式自動釣合装置
２２  装着手段
２３  同軸孔
２４  緊締ねじ
２５  径方向支持フランジ
２６  ネジ付きソケット部分
２７  前向き管状首部
２８  ディスク型研磨工具支持要素
２９  後部ネジ付き首部
３０  開口
３１  スプライン
３２  緊締要素
３３  管状首部
３５  スプライン
３６  径方向フランジ
３８  円形周囲壁
３９  横断端部
４０  環状閉鎖部材
４１  鋼製ボール
４２  円筒状表面
４３  内側接触面
４４  内側フランジ
４５  Ｏリング
４６  Ｏリング
４７  溝
４８  溝
４９  径方向フランジ
５０  円筒状表面
５２  径方向フランジ
５３  円筒状表面
５４  スプライン部分
５５  円筒状表面
５６  ネジ部分
５８  締付ナット
５９  結合要素
６０  係合歯
６１  ドック手段
６２  首部
６３  スリーブ要素
６４  シールリング
６５  保持手段
６６  ネジ
６７  ワッシャ型スプリング
【図１】
0004051102.tif 000002
【図２】
0004051102.tif 000003
【図３】
0004051102.tif 000004
【図４】
0004051102.tif 000005
【図５】
0004051102.tif 000006
【図６】
0004051102.tif 000007